(57)【要約】【課題】  カプセル型医療装置の飲み込みが容易にでき、詳細な検査等ができる医療システムを提供する。【解決手段】  患者２がカプセル型医療装置３を飲み込む場合、患者２はその上半身側がベース部材５によって水平に保持され、ベース部材５の端部に傾動自在に設けたヘッドレスト６によりヘッド２ｂを水平方向から上方に傾けた状態で支え、口腔内にカプセル型医療装置３を含み、コップ３１に入れた水を飲み込むことにより、カプセル型医療装置３を容易に飲み込みができ、飲み込まれたカプセル型医療装置３はベース部材５により水平に保持された患者２の体腔内をゆっくりと移動し、詳細な検査等を行えるようにしている。【選択図】  図１
2005110943.tif 000002
【特許請求の範囲】
【請求項１】
口腔から飲み込むことにより体内で検査・治療等の医療行為を行うためのカプセル型医療装置と、カプセル型医療装置が飲み込まれる被検体を支持するための補助台とを備えた医療システムにおいて、
前記補助台は、被検体の頭部を除く上体側の角度を略水平に保持するための水平保持手段と、頭部の角度を上体に対して上方に傾斜状態に保持するための傾斜保持手段とを設けたことを特徴とする医療システム。
【請求項２】
前記補助台は、被検体の上体を側臥位で保持するための側臥位保持手段を有することを特徴とする請求項１に記載の医療システム。
【請求項３】
口腔から飲み込むことにより体内で検査・治療等の医療行為を行うためのカプセル型医療装置と、カプセル型医療装置を飲み込む被検体の体を支持するための補助台とを備えた医療システムにおいて、
前記補助台は、被検体の頭部を除く上体の角度を略水平に保持可能とする水平保持手段と、被検体の頭部が当接する部位付近に形成された開口とを有することを特徴とする医療システム。
【発明の詳細な説明】
【技術分野】
【０００１】
本発明は、口腔から飲み込まれ、検査、治療等を行うカプセル型医療装置を備えた医療システムに関する。
【背景技術】
【０００２】
体腔内の検査等のために、各種のカプセル型医療装置が提案されている。例えば、特開平２−３６８４８号公報には、その公報中の図６において、患者がベッドにうつ伏せになった状態で、カプセル型医療装置による検査を行う図が開示されている。  
また、米国特許第５６０４５３１号明細書におけるＦＩＧ．６中には、患者がベッドにあお向けになった状態で、生体観察用のカプセル型医療装置による検査を行う図が開示されている。
【特許文献１】特開平２−３６８４８号公報
【特許文献２】米国特許第５６０４５３１号明細書
【発明の開示】
【発明が解決しようとする課題】
【０００３】
カプセル型医療装置を飲み込んだ場合、カプセル型医療装置は食道を数秒で通過してしまうことが多く詳細な観察が困難であった。  
そこで、通過時間を遅延させるために、食道を通過するまで患者は横になっているのが一般的である。  
また、カプセル型医療装置の咽頭通過を容易にするために、カプセル型医療装置は水と一緒に飲み込まれる場合が一般的に行われる。  
しかし、従来例のように患者がベッドに横になった状態のままで、カプセル型検査装置および水を飲み込むのはやや困難である。その場合には水が上気道に入る可能性がある上に、咽頭通過を容易にする機能が失われてしまう欠点がある。
【０００４】
（発明の目的）
本発明は、上述した点に鑑みてなされたもので、カプセル型医療装置の飲み込みが容易にでき、カプセル型医療装置の移動速度を遅くして、詳細な検査等ができる医療システムを提供することを目的とする。
【課題を解決するための手段】
【０００５】
本発明は、口腔から飲み込むことにより体内で検査・治療等の医療行為を行うためのカプセル型医療装置と、カプセル型医療装置が飲み込まれる被検体を支持するための補助台とを備えた医療システムにおいて、
前記補助台は、被検体の頭部を除く上体側の角度を略水平に保持するための水平保持手段と、頭部の角度を上体に対して上方に傾斜させた状態に保持するための傾斜保持手段とを設けたことにより、カプセル型医療装置及び水の飲み込みが容易にでき、かつ水平保持手段により飲み込まれたカプセル型医療装置の移動速度を遅くして、詳細な検査等ができるようにしている。
【発明の効果】
【０００６】
本発明によれば、口腔から飲み込むことにより体内で検査・治療等の医療行為を行うためのカプセル型医療装置と、カプセル型医療装置が飲み込まれる被検体を支持するための補助台とを備えた医療システムにおいて、
前記補助台は、被検体の頭部を除く上体側の角度を略水平に保持するための水平保持手段と、頭部の角度を上体に対して上方に傾斜させた状態に保持するための傾斜保持手段とを設けているので、カプセル型医療装置及び水の飲み込みが容易にでき、かつ水平保持手段により飲み込まれたカプセル型医療装置の移動速度を遅くして、詳細な検査等ができる。
【発明を実施するための最良の形態】
【０００７】
以下、図面を参照して本発明の実施例を説明する。  
【実施例１】
【０００８】
図１ないし図３は本発明の実施例１に係り、図１は本発明の実施例１の医療システムの全体構成を使用例で示し、図２はカプセル型医療装置及び体外ユニットの構成を示し、図３は検査方法の手順を示す。以下に説明するように、本実施例は、カプセル型医療装置により被検体の上部消化管、具体的には食道を検査する場合に、その部位での通過速度を遅くして、詳細な検査情報が得られるようにするためのシステムである。  
図１に示すように実施例１の医療システム１は、被検体としての患者２の体腔内を検査するためのカプセル型医療装置３と、このカプセル型医療装置３により送信される生体情報を受信して蓄積する体外ユニット４と、このカプセル型医療装置３の検査を補助するための補助装置としての例えばベース部材５及びヘッドレスト６を備えた補助台７と、から構成される。
【０００９】
補助台７を構成するベッド状のベース部材５は、患者２の上半身（上体）側を水平に保持する水平保持手段の機能を持つ。また、ヘッドレスト６は、患者２のヘッド２ｂを水平方向から上方に傾けて支える傾斜保持手段の機能を持ち、この機能により、患者２はカプセル型医療装置３を水と共に飲み込み易い状態になる。  
図２に示すようにカプセル型医療装置３は、円筒形状で一方の端部を半球形状にして閉塞した外装部材本体１１と、この外装部材本体１１における他方の開口端に嵌合固定した半球形状の透明カバー１２とで、その内部が水密構造の外装容器が形成されている。  
この外装容器内における透明カバー１２の内側の中央部分には、観察対象物の光学像を結像する対物レンズ１３がレンズ枠１４に取り付けられて配置され、対物レンズ１３の結像位置には、ＣＭＯＳイメージャ等の撮像を行う撮像素子１５が配置されている。  
また、対物レンズ１３の周囲には、照明素子として、例えば白色ＬＥＤ１６が複数配置されている。
【００１０】
撮像素子１５の背面側には、白色ＬＥＤ１６を駆動すると共に、撮像素子１５の駆動及び信号処理等を行う処理回路１７、体外ユニット４に撮像素子１５で撮像した画像信号を送信する通信回路１８、各回路等に動作用の電力を供給する電池１９、この電池１９の電源ＯＮ及びＯＦＦを行うスイッチ２１とが配置されている。  
また、外装部材本体１１の長手方向には、フレキシブルプリント基板（ＦＰＣと略記）２２が配置され、このＦＰＣ２２は撮像素子１５，処理回路１７，通信回路１８，電池１９，スイッチ２１と電気的に接続されている。  
また、通信回路１８には、体外ユニット４に無線で信号を送信するアンテナ２３が接続されている。
【００１１】
また、図１に示すように、カプセル型医療装置３からの生体情報を受信する体外ユニット４は、例えば箱形形状で、例えばベース部材５に着脱自在で取り付けできる取り付け部８が設けてある。また、カプセル型医療装置３のアンテナ２３から電波で送信される生体情報を受けるアンテナ９が外部に延出されている。  
図２に示すように、この体外ユニット４は、外部に延出されたアンテナ９で受信した信号を復調等する通信回路２６と、この通信回路２６で復調された信号をデジタル信号に変換して圧縮処理等を行うと共に、制御動作を行う（処理＆）制御回路２７と、この制御回路２７に接続されたＥＥＰＲＯＭ等の不揮発性メモリ等で構成された記憶手段２８と、制御回路２７等に動作用電力を供給する電池等の電源２９とから構成される。
【００１２】
カプセル型医療装置３を患者２が飲み込む場合には、図１に示すような補助台７を用いて、患者２は、口腔２ａ内にカプセル型医療装置３を含み、その状態でコップ３１内の水を一緒に飲み込むことにより、カプセル型医療装置３を咽頭通過をスムーズに行えるようにして、食道内などの体腔内の検査を行えるようにしている。  
この場合、患者２は、ベッド形状のベース部材５の上面により形成される水平面で、患者２の上部側（上半身側）が水平に保持される。  
また、このベース部材５の長手方向の一方の端部には、枢支部３２により傾動角度が自在となり、患者２のヘッド（頭部）２ｂを適度の傾斜角度で支えるためのヘッドレスト６が取り付けてある。そして、図１に示すようにヘッドレスト６により、患者２のヘッド２ｂを支える傾き角度を、ベース部材５の水平面から例えば６０°〜９０°に設定できるようにしている。
【００１３】
本実施例は、図１に示すように補助台７のベース部材５により、患者２のヘッド２ｂを除く上体側の角度を略水平に保持し、ヘッドレスト６によりヘッド２ｂの角度を上体に対して上方に傾斜させた状態に保持することにより、カプセル型医療装置３の飲み込みが容易にでき、かつベース部材５での水平保持により、飲み込まれたカプセル型医療装置３の移動速度を遅くして、詳細な検査等ができるようにしている。  
本実施例では、さらに枢支部３２には、回動自在に支持する力量を調整する調整ネジ（の摘み）３３が設けてあり、適当な傾斜角度に設定した状態でヘッド２ｂをヘッドレスト６側に押し付ける操作を行うことにより、このヘッドレスト６を枢支部３２の回りで矢印で示すように傾き角度を小さくなる方向に回動させて２点鎖線で示すようにヘッドレスト６を略水平に設定できるようにしている。
【００１４】
そして、以下に説明するようにカプセル型医療装置３を飲み込んだ直後に、ヘッドレスト６と共に、ヘッド２ｂも水平に近い状態に設定し、飲み込み直後の状態から移動速度を遅く設定して、飲み込み直後の位置付近から詳細な検査等を行えるようにしている。  
次に本実施例によるカプセル型医療装置３を患者２が飲み込んで、カプセル型医療装置３により体腔内を検査する動作を、図３に示す検査方法に沿って説明する。  
カプセル型医療装置３を飲み込み、検査する手順は次の通りになる。  
まずステップＳ１に示すように、唾液を除去し、かつ唾液の発生を抑制するため口腔２ａ内を洗浄する。  
口腔２ａ内の洗浄の方法として、ポピドンヨード液、臭化ドミフェン、アズレンスルホン酸ナトリウム、重曹水、オキシドール、塩化ベンゼトニウム等の洗浄液によるうがいや、歯ブラシによるブラッシングやウォーターピックの高圧水の噴射による方法がある。
【００１５】
次のステップＳ２において、消化管内の気泡を除去するため、患者２は、ジメチコンやジメチルポリシロキサン等の消泡剤を飲む。  
さらに、カプセル型医療装置３を飲む直前に、新たに発生したり残った唾液や気泡を除去するために数百ｍｌの水を飲む。  
その後、患者２は図１に示すベッド状のベース部材５に横になり、水と共にカプセル型医療装置３を飲み込むことになる。  
この場合、ステップＳ３に示すように患者２の上半身を補助台７（のベース部材５）で水平に保持する。また、ステップＳ４に示すように、ヘッドレスト６により、患者２のヘッド２ｂを適度の角度、水平方向から起上する状態で支える状態にする。
【００１６】
上述したように、患者２等は、ヘッドレスト６をベース部材５に対して適度の角度、例えば６０°〜９０°の角度で起上する状態に設定して、そのヘッドレスト６でヘッド２ｂを支える。この状態では、ヘッド２ｂ側が頸側より上方側の位置となる。さらに、ステップＳ５に示すようにカプセル型医療装置３を飲み込む直前に、新たに発生したり、残った気泡を取り除くために数百ｍｌの水を飲み込む。  
その後、ステップＳ６に示すように患者２は、カプセル型医療装置３のスイッチ２１を操作して電源ＯＮにする。  
そして、ステップＳ７に示すように、カプセル型医療装置３を口腔２ａ内に含み、水を入れたコップ３１を手に持って、コップ３１の水を口腔２ａ内に流し込み、この水と共にカプセル型医療装置３を飲み込む。
【００１７】
そして、ステップＳ８に示すように、カプセル型医療装置３が咽喉を通過した直後の適当なタイミングで、患者２は、ヘッド２ｂをヘッドレスト６に押しつけるようにして、ヘッドレスト６を枢支部３２で回動させて、ヘッド２ｂも上半身のように水平な状態に設定する。  
このようにすることにより、飲み込まれたカプセル型医療装置３は、飲み込み直後に患者２の食道の上部側が速やかにほぼ水平に設定されるので、カプセル型医療装置３が食道内の上部側で移動するその移動速度を遅くすることができ、食道内の上部側から、中部及び下部側に移動する際に、単位時間当たりに多数回、撮像することができ、詳細な検査を行うことができる。  
従って、飲み込み直後から食道内を詳細に撮像した撮像画像が得られ、詳細に診断する場合に非常に有効になる。
【００１８】
このように本実施例によれば、カプセル型医療装置３を飲み込む際には、ヘッドレスト６によりヘッド２ｂを適度の角度水平方向から起上した角度に設定して、飲み込み易い状態で飲み込みができ、飲み込み直後にヘッド２ｂをヘッドレスト６に押しつける操作でヘッド２ｂを速やかに水平に近い状態に設定して、食道の上部側からのカプセル型医療装置３による移動速度を遅く設定して、詳細な検査を行うことができる。
【実施例２】
【００１９】
次に図４を参照して本発明の実施例２を説明する。図４は、本実施例の医療システム１Ｂの構成を使用例で示す。なお、図４（Ａ）及び図４（Ｂ）は、医療システム１Ｂの側面図及び平面図を示す。本実施例は、実施例１よりも操作性を向上するものである。  
本実施例の医療システム１Ｂは、図１に示す医療システム１において、ベース部材５にヘッドレスト６を一体的に設けたものの代わりに、ベッド４１にヘッドレスト６を着脱自在に取り付ける取り付け部材４２を設けて補助台７を形成している。  
この取り付け部材４２には、固定ネジ４３が設けてあり、ベッド４１の両側において取り付け部材４２を着脱自在に固定できるようにしている。また、この取り付け部材４２には、ヘッドレスト６を回動自在に保持する枢支部３２には、モータ４４が取り付けてあり、このモータ４４を回転駆動することにより、図４（Ａ）の２点鎖線で示す位置付近までヘッドレスト６を倒すことができるようにしている。
【００２０】
このモータ４４は、ケーブル４５を介してフットスイッチ４６と接続されており、患者２は、足でフットスイッチ４６を踏む操作を行うことにより、電池ボックス４７の電池による駆動電力をモータ４４に供給して、モータ４４を回転させ、ヘッドレスト６を倒すことができるようにして、実施例１とほぼ同様の機能をより操作性を向上して実現している。  
その他の構成は、実施例１と同様である。次に本実施例の動作を説明する。  
実施例１ではカプセル型医療装置３をコップ３１の水と共に飲み込んだ場合、患者２はヘッド２ｂをヘッドレスト６側に押し付けてヘッドレスト６を倒すことにより、速やかにヘッド２ｂ及び頸側も水平に近い状態に設定して、飲み込んだカプセル型医療装置３がゆっくりと移動する状態に設定していた。
【００２１】
これに対して本実施例では、患者２は、カプセル型医療装置３をコップ３１の水と共に飲み込んだ直後に、足でフットスイッチ４６で踏む操作を行い、モータ４４を回転動作させる。  
モータ４４の回転により、ヘッドレスト６に支えられていたヘッド２ｂも、ヘッドレスト６が水平方向に倒れるに伴ってほぼ水平方向に近い状態となり、患者２の咽喉を通過したカプセル型医療装置３は、速やかにその移動速度が遅くなる状態に設定される。  
従って、本実施例によれば、実施例１の場合と同様の効果を得ることができると共に、より操作性を向上できる。また、本実施例では既存のベッド４１を利用して、そのベッド４１にヘッドレスト６を着脱自在に取り付ける取り付け部材４２を設けて補助台７を形成できるようにしているので、ユーザは経済的に少ない負担で医療システム１Ｂを実現できる。
【００２２】
図５は変形例の医療システム１Ｃの構成を使用例で示す。この変形例は、図４におけるコップ３１を採用する代わりに、水を入れた例えば軟性のボトル５１を採用している。    このボトル５１は、その開口する上端が蓋５２で閉じられ、この蓋５２には例えば一体化された可撓性のチューブ５３が延出されている。そして、患者２は、手でこのボトル５１を把持し、ボトル５１をへこますように圧力を加えることにより、内部の水をチューブ５３を経てその先端から噴出させることができるようにしている。  
従って、カプセル型医療装置３を水と共に、飲み込む場合には、患者２は、図５に示すように口腔２ａ内にカプセル型医療装置３を含み、チューブ５３の先端を口腔２ａ内に入れるようにして、ボトル５１をへこますようにすれば良い。  
本変形例によれば、実施例２と同様の効果を有すると共に、さらにコップ３１を採用した場合よりも、水をこぼしてしまうようなことをより確実に防止できる。
【実施例３】
【００２３】
次に図６及び図７を参照して本発明の実施例３の医療システム１Ｄを説明する。図６は実施例３の医療システム１Ｄを側面方向から見た側面図を示し、図７は図６における主要部の正面図を示す。なお、本実施例では体外ユニット４を省略して説明する。  
この医療システム１Ｄは、例えば図１の医療システム１における補助台７の他に、患者２の背面を支えるバックレスト５５が設けられている。このバックレスト５５は、ベース部材５に対してほぼ垂直に固定されている。
【００２４】
本実施例では、患者２は、カプセル型医療装置３を飲み込む前に、ヘッド２ｂをヘッドレスト６で横向きに支えるよう、補助台７に側臥位になる。その状態では、患者２は、首より下の上半身を水平に保ちつつ、ヘッド２ｂを略垂直にできるため、容易に水と共にカプセル型医療装置３を飲み込むことができる。そして、患者２が横向きになった状態での背面側の背中は、バックレスト５５により支えられる。  
本実施例は、実施例１の効果に加え、カプセル型医療装置３の胃における滞在時間を短縮または延長することができる。  
例えば、患者２は、左側臥位にした場合は幽門が上になるため、立位に比べ胃に滞在する時間を長くすることができる。  
逆に、患者２は、右側臥位にした場合は幽門が下になるため、胃からの排出時間を早めることが可能になる。
【実施例４】
【００２５】
次に図８及び図９を参照して本発明の実施例４の医療システム１Ｅを説明する。図８は実施例４の医療システム１Ｅを側面方向から見た側面図を示し、図９は図８における主要部を拡大した断面にて示す。  
図８に示すように本実施例では、水平なベース６１の一方の端部付近に上下方向の貫通孔６２が設けられて、補助台７が形成されている。この貫通孔６２のサイズは、患者２のヘッド２ｂのサイズより小さく、口、鼻、目を包括する程度の開口になっている。  
この貫通孔６２の下には、ベース６１の底面に支持棒の上端が懸架されるようにして、トレー６３の載置台部分が水平に取り付けられている。このトレー６３の載置台のサイズは、水が入ったストローボトル６４やカプセル型医療装置３を置くことができる広さを有し、患者２がベース６１にうつ伏せになった際に、手が届く高さに設定されている。
【００２６】
患者２は、カプセル型医療装置３を飲む前に、貫通孔６２部分に口、鼻、目が対向する状態にして、補助台７にうつ伏せになる。この時、トレー６３の載置台部分に水が入ったストローボトル６４やカプセル型医療装置３を置いておく。  
その後、図９に主要部を拡大して示すように、患者２は、カプセル型医療装置３を口腔２ａ内に含み、ストローボトル６４の水を飲むことにより、上半身を水平を保ったまま、カプセル型医療装置３を容易に飲み込むことができる。  
本実施例によれば、患者２は、ヘッド２ｂを上半身の状態と同様に、ほぼ平行に保った状態のままでカプセル型医療装置３を水と共に飲み込むことができる。このため、飲み込み後に、ヘッド２ｂを水平側を動かすようなことを不必要とし、食道の上部側からの検査を詳細に行うことができる。
【００２７】
図１０は変形例の医療システム１Ｆの主要部を示す。本変形例では、ベッド４１を補助台７に利用するようにしている。そして、患者２は、ベッド４１上に上半身を乗せてうつ伏せになるが、この場合ヘッド２ｂ付近が、ベッド４１の一方の端部からはみ出るようにしてベッド４１にうつ伏せになる。  
そして、患者２は、カプセル型医療装置３を水と共に、飲み込む場合には、この図１０に示すようにカプセル型医療装置３を口腔内に含み、例えば図５で説明したボトル５１を用いて水を飲み込むようにしても良い。  
この変形例によれば、簡単な構成でカプセル型医療装置３を飲み込み易くでき、かつ衝動の上部側から詳細に検査を行うことができるようになる。
【実施例５】
【００２８】
次に図１１及び図１２を参照して本発明の実施例５の医療システム１Ｇを説明する。    図１１に示す本実施例の医療システム１Ｇは、例えば図１の医療システム１において、カプセル型医療装置３に、さらに紐状部材７１を設けたものである。  
図１２は紐状部材７１を取り付けたカプセル型医療装置３を示す。このカプセル型医療装置３の外装部材本体１１における透明カバー１２と反対側の後端には、可撓性を有する紐状部材７１の一方の端部が、例えば水溶性の接着剤７２で取り付けられている。また、この紐状部材７１の他方の端部は、口腔２ａ内等への飲み込みを防止する、例えば棒状部材７３に固定されている。
【００２９】
この場合、紐状部材７１は、水溶性で飲食に支障のない例えば飴等の接着剤７２によって、カプセル型医療装置３の外装部材本体１１に取り付けてあるので、口腔２ａ内に挿入して、例えば数１０秒程度で溶けて紐状部材７１とカプセル型医療装置３とは分離される状態となる。つまり、カプセル型医療装置３には、短い所定時間範囲程度で固定が解除される紐状部材７１が取り付けられる。  
また、この紐状部材７１の長さは、口腔２ａの入り口（つまり口）から咽喉を通過した直後付近の長さに設定されている。  
従って、図１１のように、口腔２ａ内にカプセル型医療装置３を含み、コップ３１の水を飲み込むことにより、この水と共に、カプセル型医療装置３を飲み込むことができる。そして、飲み込まれたカプセル型医療装置３は紐状部材７１により、咽喉を通過した位置付近に規制される。そして、数秒〜数１０秒程度で水溶性の接着剤７２が溶けることにより、紐状部材７１からカプセル型医療装置３は分離される。
【００３０】
この分離が行われる前に患者２は、ヘッドレスト６を倒す等して、ヘッド２ｂを水平な状態にすれば良い。  
本実施例によれば、カプセル型医療装置３を飲み込み直後の短いタイミングでヘッド２ｂを水平にする動作を必要としないで、より遅れたタイミングでも、飲み込まれたカプセル型医療装置３による移動速度を遅くでき、食道の上部側からの検査を詳細に行うことができる。
【００３１】
また、本実施の形態では、患者２は、カプセル型医療装置３に紐状部材７１を接続して飲み込むことにより、透明カバー１２側が先端側となるようにして飲み込みの設定がし易くできる。  
なお、数秒〜数１０秒程度で水に溶ける接着剤７２の代わりに、紐状部材７１を引っ張る力を加えることにより、紐状部材７１の固定を解除できる程度の弱い強度で接着する等しても良い。  
なお、上述した説明では、カプセル型医療装置３として、体腔内を光学的に撮像を行い、検査や診断する構成の場合で説明したが、本発明はこれに限定されるものでなく、例えば薬液を収納する薬液収納部を有し、食道その他の処置すべき部位で薬液を散布する医療処置（医療行為）を行う構成にしても良い。
【産業上の利用可能性】
【００３２】
患者は、補助台等を用いる等して、カプセル型医療装置を飲み込むことにより、飲み込み易い状態で、体腔内の検査や治療を行うことができる。
【００３３】
［付記］
１．請求項１において、前記傾斜保持手段は、その傾斜状態の角度を可変調整できる。  ２．付記１において、前記傾斜保持手段は、さらに押圧により傾斜状態の角度を小さくできる。  
３．請求項１において、前記傾斜保持手段は、スイッチ操作で傾斜状態を略水平状態に設定可能である。  
４．請求項１において、前記水平保持手段はベッドで構成される。  
５．請求項１において、前記傾斜保持手段は、前記水平保持手段に取り付け可能である。６．請求項１において、前記カプセル型医療装置には、所定時間範囲で固定が解除される接着剤により紐状部材が取り付けられる。  
７．請求項１において、前記カプセル型医療装置には、水溶性の着剤により紐状部材が取り付けられる。
【００３４】
８．被検体に対するカプセル型医療装置による検査方法において、
補助台により、被検体の上部側を水平に保持し、頭部を斜め上方の傾斜状態に支える被検体保持ステップと、
カプセル型医療装置が液体と共に飲み込まれた直後に、前記頭部の傾斜状態を解除する解除ステップと、
を備えたカプセル型医療装置による検査方法。  
９．付記８において、前記解除ステップはスイッチ操作で起動する。
【図面の簡単な説明】
【００３５】
【図１】本発明の実施例１の医療システムの全体構成図。
【図２】カプセル型医療装置及び体外ユニットの構成を示す図。
【図３】検査方法の手順を示すフローチャート図。
【図４】本発明の実施例２の医療システムの全体構成図。
【図５】変形例の医療システムの全体構成図。
【図６】本発明の実施例３の医療システムの側面図。
【図７】医療システムの正面図。
【図８】本発明の実施例４の医療システムの側面図。
【図９】図８の主要部を拡大して示す断面図。
【図１０】変形例の医療システムの側面図。
【図１１】本発明の実施例５の医療システムの側面図。
【図１２】カプセル型医療装置を示す側面図。
【符号の説明】
【００３６】
１…医療システム
２…患者
３…カプセル型医療装置
４…体外ユニット
５…ベース部材
６…ヘッドレスト
７…補助台
９、２３…アンテナ
１１…外装部材本体
１２…透明カバー
１３…対物レンズ
１５…撮像素子
１６…白色ＬＥＤ
１７…処理回路
１８、２６…通信回路
２７…制御回路
２８…記憶手段
３１…コップ
３２…枢支部
代理人    弁理士    伊藤  進
【図１】
2005110943.tif 000003
【図２】
2005110943.tif 000004
【図３】
2005110943.tif 000005
【図４】
2005110943.tif 000006
【図５】
2005110943.tif 000007
【図６】
2005110943.tif 000008
【図７】
2005110943.tif 000009
【図８】
2005110943.tif 000010
【図９】
2005110943.tif 000011
【図１０】
2005110943.tif 000012
【図１１】
2005110943.tif 000013
【図１２】
2005110943.tif 000014